(57)【要約】【課題】農業用の換気扇では、直径が１ｍ程度の口径が大きいものが使われるため、積載・保管スペースを大きく取ってしまう。また、従来の構成の羽根車では、一旦工場での組付けとピッチバランス調整が必要であった。【解決手段】モータ１のシャフトには、円盤状の回転板７がはめ込まれ、この回転板７には、２枚の回転翼３と２枚のバランス板４が取り付けられている。バランス板４は、その回転板７との取付位置において、回動可能となる。バランス板４を回転翼３とが重なるように固定することにより、回転翼３とバランス板４は略直線上に配置される。【選択図】図１
2008267651.tif 000002
【特許請求の範囲】
【請求項１】
モータと、このモータのシャフトに対向して取り付けられた２枚の回転翼と、この回転翼と所定の角度で前記モータのシャフトに対向して取り付けられた２枚のバランス板とで構成される組立式換気扇。
【請求項２】
前記モータのシャフトに回転板を取りつけ、前記回転翼とバランス板は、回転板のまわりに取り付けられることを特徴とする請求項１記載の組立式換気扇。
【請求項３】
前記バランス板は、回転板に回動可能に取り付けられ、回転翼と重ねることができる請求項２記載の組立式換気扇。
【請求項４】
前記バランス板には、回動する支点を中心にした１／４の円弧状穴を設け、この円弧状穴と回動支点とで回転板と固定する構成の請求項３記載の組立式換気扇。
【請求項５】
前記バランス板は、長辺にヘミング曲げを設け、ヘミング曲げの間に回転板の取り付け部分を挟みこんで位置決めすることを特徴とする請求項３〜４いずれかに記載の組立式換気扇。
【請求項６】
前記回転板の、前記バランス板との取り付け部分にエンボスを設け、前記バランス板の、回転板との取付部分に位置決め穴を設け、前記バランス板を拡げた際に、前記エンボスが前記位置決め穴にはまり込むことによってバランス板の位置決めをすることを特徴とする請求項３〜５いずれかに記載の組立式換気扇。
【請求項７】
前記バランス板は、回転板に着脱可能に取り付けられることを特徴とする請求項２記載の組立式換気扇。
【請求項８】
モータと、モータのシャフトに取り付けられた羽根車と、モータのハウジングに放射状に取り付けられた少なくとも３本の取付脚と、前記取付脚の先端に前記羽根車の回転する外周を囲むように設けられた外周枠で構成される換気扇において、前記外周枠は、分割されることを特徴とする組立式換気扇。
【請求項９】
前記外周枠は、前記取付脚の本数と同数に分割されることを特徴とする請求項８記載の組立式換気扇。
【請求項１０】
前記取付脚は４本であり、前記外周枠を４分割したことを特徴とする請求項９記載の組立式換気扇。
【請求項１１】
前記外周枠は、回転軸を含む面での断面が円弧状のベルマウスであることを特徴とする請求項８〜１０いずれかに記載の組立式換気扇。
【請求項１２】
前記取付脚の先端にはベルマウス連結部材を設け、このベルマウス連結部材によって前記ベルマウスと接続することを特徴とする請求項１１記載の組立式換気扇。
【請求項１３】
前記ベルマウス連結部材は、取付脚取付穴と、２つのベルマウス取付穴を有し、前記取付脚を前記取付脚取付穴に嵌合して接続し、前記ベルマウスを前記ベルマウス取付穴に嵌合して接続することを特徴とする請求項１２記載の組立式換気扇。
【請求項１４】
前記ベルマウス連結部材は、取付脚に直接嵌め込んでベルマウスを乗せる連結部材Ａと、連結部材Ａとでベルマウスを挟みこんで固定する連結部材Ｂで構成されることを特徴とする請求項１２記載の組立式換気扇。
【請求項１５】
前記連結部材Ａには、ベルマウスを乗せたときにベルマウスの端部を引っ掛けるフックを設けたことを特徴とする請求項１４記載の組立式換気扇。
【請求項１６】
前記取付脚の先端近傍に設けた受け側固定金具と、前記連結部材Ａ、ベルマウス、連結部材Ｂを、前記受け側固定金具とで両側から挟みこんで固定する連結部材固定金具を設けたことを特徴とする請求項１４または１５記載の組立式換気扇。
【請求項１７】
前記受け側固定金具は、換気扇本体を建造物に固定する本体固定穴を設けたことを特徴とする請求項１６記載の組立式換気扇。
【請求項１８】
モータと、モータのシャフトに取り付けられた羽根車で構成される換気扇において、前記モータには、少なくとも３本のパイプ状の取付脚を回動可能に取り付けたことを特徴とする組立式換気扇。
【請求項１９】
前記取付脚は４本であり、その４本の取付脚のうち、対向する２本はモータに固定され、残りの２本が回動可能に取り付けられたことを特徴とする請求項１８記載の組立式換気扇。
【請求項２０】
換気扇の周囲には、取付脚連結部材を一体に有するベルマウスを設け、この取付脚連結部材と前記取付脚を接続することを特徴とする請求項１８記載の組立式換気扇。
【請求項２１】
前記ベルマウスは、前記取付脚の本数と同数で分割され、取付脚連結部材は、分割されたベルマウスの略中心に設け、隣り合ったベルマウス同士を接合することを特徴とする請求項２０記載の組立式換気扇。
【請求項２２】
前記羽根車は、前記モータのシャフトに対向して取り付けられた２枚の回転翼と、この回転翼と約９０°の角度の位置に回動可能に取り付けられ、かつ、前記モータのシャフトに対向して取り付けられた２枚のバランス板とで構成され、前記取付脚は、４本のパイプ状の取付脚で、モータとの取付位置で回動可能に取り付けたことを特徴とする請求項８〜１７いずれかに記載の組立式換気扇。
【発明の詳細な説明】
【技術分野】
【０００１】
本発明は、農業用のビニールハウス、畜舎等に設けられた換気扇などに関するものである。
【背景技術】
【０００２】
従来の換気扇の典型的な構成は、モータ、羽根、取付脚、ベルマウスとなっている。また、農業用の換気扇では、大きな風量が必要であり、故に直径が１ｍ程度の口径が大きいものが使われる。この種の換気扇は、工場で組み立て、羽根のピッチバランスを調整した後、完成品として梱包し、出荷している。このような構成では、梱包サイズが大きくなってしまうという課題が有る。また、農業用のような大きな換気扇では、一人で運ぶことができず、更には、運送時の積載スペース、保管スペースを大きく取ってしまい、高い運送保管料が必要となる。
【０００３】
このような背景の中、図９に記載のような組立・分解式の換気扇が開発されている（特許文献１参照）。
【０００４】
このような組立・分解式の換気扇は、図９に示すように、モータ１０１と、このモータ１０１に取り付けられる支持枠１０２と、この支持枠１０２に組み付ける枠体１０３と、モータ１０１の軸承される羽根車１０４で構成される。支持枠１０２、枠体１０３は、パイプ素材で形成され、支持体１０２と枠体１０３とは、クリップ１０５で組付けられる。
【特許文献１】特開２００４−２３２５４８号公報
【発明の開示】
【発明が解決しようとする課題】
【０００５】
このような従来の換気扇においては、羽根車１０４とモータ１０１を組み付けた上で出荷しなくてはならず、羽根径分の梱包サイズが必要であった。または、梱包サイズを小さくするためには、一旦羽根車１０４の組付けを行ってピッチバランスを調整した後、羽根車１０４のブレードを外さなくてはならず、工数の削減が求められている。
【０００６】
本発明は、上記のような課題を解決するもので、梱包サイズを小さくして設置現場までの運送コストを削減し、なおかつ、容易に現場での組み付け作業を行うことのできる換気扇を提供するものである。
【課題を解決するための手段】
【０００７】
上記課題を解決するため、本発明の換気扇の第一の手段は、モータと、このモータのシャフトに対向して取り付けられた２枚の回転翼と、この回転翼と所定の角度で前記モータのシャフトに対向して取り付けられた２枚のバランス板とで構成されるものである。
【０００８】
この手段により、ピッチバランスの調整を２枚の回転翼で行い、運搬の際にはバランス板を取り外すことによって、梱包サイズを小さくすることができる。
【０００９】
また、他の手段は、モータのシャフトに回転板を取りつけ、回転翼とバランス板は、回転板のまわりに取り付けられることを特徴とするものである。この手段により、バランス板を容易に取り付けることができる。
【００１０】
また、他の手段は、バランス板は、回転板に回動可能に取り付けられ、回転翼と重ねることができるものである。この手段により、バランス板を取り外さずに梱包ができ、かつ、容易に組立が可能となる。
【００１１】
また、他の手段は、バランス板には、回動する支点を中心にした１／４の円弧状穴を設け、この円弧状穴と回動支点とで回転板と固定するものである。この手段により、バランス板を取り外さずに梱包ができ、かつ、容易に組立が可能となる。
【００１２】
また、他の手段は、バランス板は、長辺にヘミング曲げを設け、ヘミング曲げの間に回転板の取り付け部分を挟みこんで位置決めするものである。この手段により、容易にバランス板の位置調整ができる。
【００１３】
また、他の手段は、回転板の、前記バランス板との取り付け部分にエンボスを設け、前記バランス板の、回転板との取付部分に位置決め穴を設け、前記バランス板を拡げた際に、前記エンボスが前記位置決め穴にはまり込むことによってバランス板の位置決めをすることを特徴とするものである。この手段により、簡単にバランス板の位置決めを行うことができる。
【００１４】
また、他の手段は、前記バランス板は、回転板に着脱可能に取り付けられることを特徴とするものである。この手段により、運搬の際にはバランス板を取り外すことによって、梱包サイズを小さくすることができる。
【００１５】
また、他の手段は、モータと、モータのシャフトに取り付けられた羽根車と、モータのハウジングに放射状に取り付けられた少なくとも３本の取付脚と、前記取付脚の先端に前記羽根車の回転する外周を囲むように設けられた外周枠で構成され、前記外周枠は、分割されることを特徴とするものである。この手段により、換気扇の外形寸法を決定づける外枠となる外周枠を分割して構成することにより、梱包サイズの削減を図ることができる。
【００１６】
また、他の手段は、前記外周枠は、前記取付脚の本数と同数に分割されることを特徴とするものである。
【００１７】
また、他の手段は、前記取付脚は４本であり、前記外周枠を４分割したことを特徴とするものである。
【００１８】
また、他の手段は、前記外周枠は、回転軸を含む面での断面が円弧状のベルマウスであることを特徴とするものである。
【００１９】
また、他の手段は、前記取付脚の先端にはベルマウス連結部材を設け、このベルマウス連結部材によって前記ベルマウスと接続することを特徴とするものである。
【００２０】
また、他の手段は、前記ベルマウスは、前記取付脚の本数と同数で分割され、前記ベルマウス連結部材は、取付脚取付穴と、ベルマウス取付穴を有することを特徴とするものである。
【００２１】
また、他の手段は、前記ベルマウス連結部材は、取付脚に直接嵌め込んでベルマウスを乗せる連結部材Ａと、連結部材Ａとでベルマウスを挟みこんで固定する連結部材Ｂで構成されることを特徴とするものである。
【００２２】
また、他の手段は、前記連結部材Ａには、ベルマウスを乗せたときにベルマウスの端部を引っ掛けるフックを設けたことを特徴とするものである。
【００２３】
また、他の手段は、前記取付脚の先端近傍に設けた受け側固定金具と、前記連結部材Ａ、ベルマウス、連結部材Ｂを、前記受け側固定金具とで両側から挟みこんで固定する連結部材固定金具を設けたことを特徴とするものである。
【００２４】
また、他の手段は、前記受け側固定金具は、換気扇本体を建造物に固定する本体固定穴を設けたことを特徴とするものである。
【００２５】
また、他の手段は、モータと、モータのシャフトに取り付けられた羽根車で構成され、前記モータには、少なくとも３本のパイプ状の取付脚を回動可能に取り付けたことを特徴とするものである。
【００２６】
この手段により、輸送・保管時に、取付脚を回動させて梱包サイズを小さくすることができる。
【００２７】
また、他の手段は、前記取付脚は４本であり、その４本の取付脚のうち、対向する２本はモータに固定され、残りの２本が回動可能に取り付けられたことを特徴とするものである。
【００２８】
また、他の手段は、換気扇の周囲には、取付脚連結部材を一体に有するベルマウスを設け、この取付脚連結部材と前記取付脚を接続することを特徴とするものである。
【００２９】
また、他の手段は、前記ベルマウスは、前記取付脚の本数と同数で分割され、取付脚連結部材は、分割されたベルマウスの略中心に設け、隣り合ったベルマウス同士を接合することを特徴とするものである。
【００３０】
また、他の手段は、前記羽根車は、前記モータのシャフトに対向して取り付けられた２枚の回転翼と、この回転翼と約９０°の角度の位置に回動可能に取り付けられ、かつ、前記モータのシャフトに対向して取り付けられた２枚のバランス板とで構成され、前記取付脚は、４本のパイプ状の取付脚で、モータとの取付位置で回動可能に取り付けたことを特徴とするものである。
【発明の効果】
【００３１】
以上のように、本発明の換気扇によれば、羽根となる回転翼を２枚とし、２枚の回動可能なバランス板を設けることにより、梱包する際にはたたんで梱包サイズを小さくし、なおかつ、容易に現場での組み付け作業を行うことのできる。
【発明を実施するための最良の形態】
【００３２】
本発明の請求項１に記載の換気扇は、モータと、このモータのシャフトに対向して取り付けられた２枚の回転翼と、この回転翼と所定の角度で前記モータのシャフトに対向して取り付けられた２枚のバランス板とで構成されるものであり、ピッチバランスの調整を２枚の回転翼で行い、運搬の際にはバランス板を取り外すことによって、梱包サイズを小さくすることができる。
【００３３】
また、本発明の請求項２に記載の換気扇は、モータのシャフトに回転板を取りつけ、回転翼とバランス板は、回転板のまわりに取り付けられることを特徴とするものである。この手段により、バランス板を容易に取り付けることができる。
【００３４】
また、本発明の請求項３に記載の換気扇は、バランス板は、回転板に回動可能に取り付けられ、回転翼と重ねることができるものである。この手段により、バランス板を取り外さずに梱包ができ、かつ、容易に組立が可能となる。
【００３５】
また、本発明の請求項４に記載の換気扇は、バランス板には、回動する支点を中心にした１／４の円弧状穴を設け、この円弧状穴と回動支点とで回転板と固定するものである。この手段により、バランス板を取り外さずに梱包ができ、かつ、容易に組立が可能となる。
【００３６】
また、本発明の請求項５に記載の換気扇は、バランス板は、長辺にヘミング曲げを設け、ヘミング曲げの間に回転板の取り付け部分を挟みこんで位置決めするものである。この手段により、容易にバランス板の位置調整ができる。
【００３７】
また、本発明の請求項６に記載の換気扇は、回転板の、前記バランス板との取り付け部分にエンボスを設け、前記バランス板の、回転板との取付部分に位置決め穴を設け、前記バランス板を拡げた際に、前記エンボスが前記位置決め穴にはまり込むことによってバランス板の位置決めをすることを特徴とするものである。この手段により、簡単にバランス板の位置決めを行うことができる。
【００３８】
また、本発明の請求項７に記載の換気扇は、前記バランス板は、回転板に着脱可能に取り付けられることを特徴とするものである。この手段により、運搬の際にはバランス板を取り外すことによって、梱包サイズを小さくすることができる。
【００３９】
また、本発明の請求項８に記載の換気扇は、モータと、モータのシャフトに取り付けられた羽根車と、モータのハウジングに放射状に取り付けられた少なくとも３本の取付脚と、前記取付脚の先端に前記羽根車の回転する外周を囲むように設けられた外周枠で構成され、前記外周枠は、分割されることを特徴とするものである。この手段により、換気扇の外形寸法を決定づける外枠となる外周枠を分割して構成することにより、梱包サイズの削減を図ることができる。
【００４０】
また、本発明の請求項９に記載の換気扇は、前記外周枠は、前記取付脚の本数と同数に分割されることを特徴とするものである。
【００４１】
また、本発明の請求項１０に記載の換気扇は、前記取付脚は４本であり、前記外周枠を４分割したことを特徴とするものである。
【００４２】
また、本発明の請求項１１に記載の換気扇は、前記外周枠は、回転軸を含む面での断面が円弧状のベルマウスであることを特徴とするものである。
【００４３】
また、本発明の請求項１２に記載の換気扇は、前記取付脚の先端にはベルマウス連結部材を設け、このベルマウス連結部材によって前記ベルマウスと接続することを特徴とするものである。
【００４４】
また、本発明の請求項１３に記載の換気扇は、前記ベルマウスは、前記取付脚の本数と同数で分割され、前記ベルマウス連結部材は、取付脚取付穴と、ベルマウス取付穴を有することを特徴とするものである。
【００４５】
また、本発明の請求項１４に記載の換気扇は、前記ベルマウス連結部材は、取付脚に直接嵌め込んでベルマウスを乗せる連結部材Ａと、連結部材Ａとでベルマウスを挟みこんで固定する連結部材Ｂで構成されることを特徴とするものである。
【００４６】
また、本発明の請求項１５に記載の換気扇は、前記連結部材Ａには、ベルマウスを乗せたときにベルマウスの端部を引っ掛けるフックを設けたことを特徴とするものである。
【００４７】
また、本発明の請求項１６に記載の換気扇は、前記取付脚の先端近傍に設けた受け側固定金具と、前記連結部材Ａ、ベルマウス、連結部材Ｂを、前記受け側固定金具とで両側から挟みこんで固定する連結部材固定金具を設けたことを特徴とするものである。
【００４８】
また、本発明の請求項１７に記載の換気扇は、前記受け側固定金具は、換気扇本体を建造物に固定する本体固定穴を設けたことを特徴とするものである。
【００４９】
また、本発明の請求項１８に記載の換気扇は、モータと、モータのシャフトに取り付けられた羽根車で構成され、前記モータには、少なくとも３本のパイプ状の取付脚を回動可能に取り付けたことを特徴とするものであり、輸送・保管時に、取付脚を回動させて梱包サイズを小さくすることができる。
【００５０】
また、本発明の請求項１９に記載の換気扇は、前記取付脚は４本であり、その４本の取付脚のうち、対向する２本はモータに固定され、残りの２本が回動可能に取り付けられたことを特徴とするものである。
【００５１】
また、本発明の請求項２０に記載の換気扇は、換気扇の周囲には、取付脚連結部材を一体に有するベルマウスを設け、この取付脚連結部材と前記取付脚を接続することを特徴とするものである。
【００５２】
また、本発明の請求項２１に記載の換気扇は、前記ベルマウスは、前記取付脚の本数と同数で分割され、取付脚連結部材は、分割されたベルマウスの略中心に設け、隣り合ったベルマウス同士を接合することを特徴とするものである。
【００５３】
また、本発明の請求項２２に記載の換気扇は、前記羽根車は、前記モータのシャフトに対向して取り付けられた２枚の回転翼と、この回転翼と約９０°の角度の位置に回動可能に取り付けられ、かつ、前記モータのシャフトに対向して取り付けられた２枚のバランス板とで構成され、前記取付脚は、４本のパイプ状の取付脚で、モータとの取付位置で回動可能に取り付けたことを特徴とするものである。
【００５４】
（実施の形態１）
図１は、本発明の第１の実施の形態による換気扇の組立完成図（斜視図）である。
【００５５】
本実施の形態による換気扇は、モータ１の底部に取付脚２が４本、放射状に設けられている。取付脚２は、パイプ材を加工したものである。モータ１のシャフトには、円盤状の回転板７がはめ込まれている。この回転板７には、２枚の回転翼３と２枚のバランス板４が取り付けられている。バランス板４は、回転中心の周りに重りを分散させ、回転中心と回転体の重心とが一致するように設けるものであって、本実施の形態では、短冊状の平板を用いている。回転翼３ａ、３ｂは、シャフトを中心にして対向して取り付けられ、バランス板４ａ，４ｂはそれぞれ回転翼３ａ，３ｂと略９０°の角度をなすように取り付けられている。一方、取付脚２の先端には、ベルマウス取付部材５が取り付けられている。このベルマウス取付部材５には、取付脚２を嵌め込む取付脚取付穴５ａ、外周枠となるベルマウス６ａ，６ｂ，６ｃ，６ｄを嵌め込むベルマウス取付穴５ｂを有している。取付脚取付穴５ａには、取付脚２の先端がはめ込まれる。取付脚２の本数と同数の４つに分割されたベルマウス６ａ，６ｂ，６ｃ，６ｄは、ベルマウス取付穴５ｂにはめ込まれて結合され、一体のベルマウス６となっている。
【００５６】
このような構成において、本実施の形態の換気扇の組立方法、運送状態への移行方法について説明する。
【００５７】
図２は、回転翼３、バランス板４と回転板７との取付状態を表す図である。バランス板４は、その回転板７との取付位置において、回転支点となる取付ネジ１１を１本残して外すことによって回動可能となる。バランス板４に設けられた固定ネジ１２に対応するネジ穴１３は、取付ネジ１１を中心とした４分の１の円弧状に空けられており、固定ネジ１２を緩めるだけで、バランス板４の回動ができる。バランス板４を、回転翼３と重なる位置（図２（ａ）中記号Ａ）と、運転可能な正規の位置（図２（ｂ）中記号Ｂ）で固定できるように、ネジ穴１３が設けられている。すなわち、梱包して運送するような場合には、図２（ａ）で示すように、バランス板４を回転翼３と重なるように固定する。このような状態であれば、回転翼３とバランス板４は略直線上に配置され、コンパクトに収納ができる。また、設置する場合には、図２（ｂ）で示すように、バランス板４を開いて運転できる状態にする。
【００５８】
また、バランス板４の長辺側の両端には、ヘミング曲げ１４を設ける。回転板７のバランス板の取り付け部分７ｂは、その幅をヘミング曲げ１４間の距離Ｌとする。このような構成によれば、バランス板４を正規の位置（図２（ｂ）中記号Ｂ）にセットしたときに、ヘミング曲げ１４の間に取り付け部分７ｂがはまり込むことになって、バランス板４の固定ができる。
【００５９】
さらに、取り付け部分７ｂには、エンボス７ｃを設ける。バランス板４には、正規の位置（図２（ｂ）中記号Ｂ）にセットしたときにエンボス７ｃが嵌り込むエンボス穴１５を設ける。このような構成によれば、バランス板４を正規の位置（図２（ｂ）中記号Ｂ）にセットしたときに、エンボス穴１５に取り付け部分７ｂに設けたエンボス７ｃがはまり込むことになって、バランス板４の固定ができる。
【００６０】
次に、取付脚２の格納について説明する。図３は、取付脚２とモータ１との取付状態を表す図である。取付脚２のうち、対向する２本（回動取付脚２ａ，２ｃ）は、モータ１との接合部で回動可能に取り付けられ、残りの２本（固定取付脚２ｂ，２ｄ）は、動かないよう、固定する。この回動取付脚２ａ，２ｃは、モータに取付脚嵌合部にはめ込まれ、この嵌合部において固定ネジを締め付けることによって固定され、固定ネジを緩めれば、回動させることが可能となる（図示せず）。なお、固定取付脚２ｂ，２ｄについては、本実施の形態では、固定したが、回動可能にしておいても良い。このような取付脚２の構成によれば、工場出荷時など運送する際には、回動取付脚２ａ，２ｃの固定ネジを緩める、あるいは外し、固定取付脚２ｂ，２ｄに重ねるようにして回動させる。このように、４本の取付脚２は略直線上に配置されるので、上記の直線上に配置された回転翼３・バランス板４と重なるようになり、全体として細長い形状に収まり、梱包サイズの削減がはかれる（図４にバランス板４、取付脚２を格納した状態を示す。）。
【００６１】
換気扇の設置する現地における組立時は、バランス板４ａ，４ｂを正規の位置（図２（ｂ）中記号Ｂ）に、取付脚２も放射状になるよう、固定する。回転翼３は、出荷時にバランス調整を行って固定しているため、現地での調整は不要となる。
【００６２】
図５にベルマウス６の組立図を示す。ベルマウス６については、前記したように、ベルマウス取付部材５によって取付脚２および分割されたベルマウス６ａ，６ｂ，６ｃ，６ｄを結合する。ベルマウス６の分割状態においては、ある程度細長い形状となるため、図６のように直方体の箱８に収納できるようになる。
【００６３】
このように、本実施の形態の組立式換気扇によれば、２枚の回転翼と、回動可能な２枚のバランス板で回転部を構成することにより、工場出荷時にバランス調整が可能となって現地での調整が不要で、かつ、梱包サイズを削減することが可能となる。梱包サイズは従来の同径の換気扇と比較して３分の１程度になる。
【００６４】
なお、本実施の形態では、取付脚２を４本で構成したが、ベルマウス６の固定ができる３本以上であればよい。その場合には、固定する取付脚２は、奇数の取付脚の場合には１本、偶数であれば対向する２本とすればよい。この場合、ベルマウス６の分割数は、取付脚２の本数と同じ数にすればよい。
【００６５】
また、取付脚２は回動可能として略直線上に配置する構成としたが、モータ１と分離可能とし、取付脚２を取り外した状態で運搬する構成としても良い。
【００６６】
また、本実施の形態では、外周枠をベルマウス６としたが、回転翼３の外周を取り囲むように構成されたものであれば、他の形状、例えば、パイプ状の部材であってもよい。
【００６７】
また、ベルマウス６の分割方法は、等分割にすると梱包サイズの削減に最も効果的であるが、大きさを変えて分割しても構わない。
【００６８】
また、ベルマウス６と取付脚２との結合部材としてベルマウス取付部材５を用いたが、ベルマウス６に取付脚差込部を一体にして備えたものでもよい。
【００６９】
また、本実施の形態では、バランス板４は回動可能として回転翼３と重なるような構成としたが、回転板７と分離し、バランス板４を取り外して運搬する構成としても良い。
【００７０】
また、バランス板４には、平板を用いたが、捻りを加えた翼形状をなし、回転翼の補助的な役割、あるいは、回転翼と同等の働きをするものであってもよい。
【００７１】
また、バランス板４は２枚としたが、偶数枚であればよい。例えば、バランス板４を４枚とし、正規の位置はそれぞれが回転翼３と約６０°の角度で取り付けられる構成でもよい。この場合、梱包時のバランス板４の位置は、２枚のバランス板４が１枚の回転翼３と重なるようにすることが出来る。
【００７２】
（実施の形態２）
第２の実施の形態として、他のベルマウス連結部材２１について、図７、８を用いて説明する。
【００７３】
本実施の形態によるベルマウス連結部材２１は、構成部品としてベルマウス６を受ける連結部材Ａ２１ａと、ベルマウス６を連結部材Ａ２１ａと挟みこんで固定する連結部材Ｂ２１ｂとで構成される。連結部材Ａ２１ａ、連結部材Ｂ２１ｂは樹脂成型で製作するとよい。
【００７４】
連結部材Ａ２１ａは、取付脚２を嵌め込む部分「脚嵌合部２２」と、ベルマウス６を下から受ける部分「ベルマウス受け２３」とで構成される。脚嵌合部２２の外側には、溝２６が設けられている。取付脚２には、連結部材Ａ２１ａを受ける「受け固定金具２４」を設け、取付脚２に嵌合した連結部材Ａ２１ａは、受け固定金具２４に当接して固定される。また、取付脚２をはさんで両側のベルマウス６を支えるよう、ベルマウス受け２３は、脚嵌合部２２の両側に設ける。ベルマウス６は、図でもわかるように断面が円弧状になっているため、ベルマウス受け２３は円弧状に成型されている（図７は、連結部材Ａ２１ａを取付脚２に嵌合し、ベルマウス６をのせた状態である。）。
【００７５】
連結部材Ｂ２１ｂは、取付脚２に取り付けベルマウス６をセットした連結部材Ａ２１ａに嵌合してベルマウス６を固定する。その内側には凸部２７を設け、連結部材Ａ２１ａに嵌合する際、凸部２７が溝２６に沿って嵌合する。さらに、連結部材Ａ２１ａとベルマウス６、連結部材Ｂ２１ｂとは、受け固定金具２４と固定金具２５によって両側から挟みこんで、受け固定金具２４と固定金具２５とをネジ止めして固定する（図８は、連結部材Ｂ２１ｂを連結部材Ａ２１ａに嵌合し、固定金具２５によって固定された状態である。）。
【００７６】
このような構成において、その組立作業は、取付脚２を広げた状態でまず連結部材Ａ２１ａを取り付け、その上でベルマウス６を所定位置に置き、連結部材Ｂ２１ｂを嵌め込む。その後、固定金具２５によってベルマウス連結部材２１の固定を行う。上記構成によれば、組立作業を一人でも行うことができるという効果がある。また、ベルマウス６は、受け固定金具２４、固定金具２５によって挟まれて固定されているため、連結部材Ａ２１ａ、連結部材Ｂ２１ｂの樹脂劣化時にも固定状態を維持できる。
【００７７】
また、ベルマウス受け２３には、ベルマウス６を支えるための突起２９を設ける。ベルマウス受け２３にベルマウス６を置くときには、ベルマウス６の両端２点で支えるため、バランスが悪く、傾く、あるいは下に落ちてしまう。ベルマウス６を組み立てる際には、ベルマウス６の端部を突起２９に引掛けてベルマウス受け２３に置くことによって、バランスを崩さず、一人で組立作業ができるようになる。
【００７８】
なお、受け固定金具２４は、換気扇本体を構造物等に固定する本体固定金具として用いてもよい。その際には、受け固定金具２４には、本体固定穴２８を設けておく。
【産業上の利用可能性】
【００７９】
大口径のプロペラ型ファンを採用した送風機器に用いることができる。
【図面の簡単な説明】
【００８０】
【図１】本発明の第１の実施の形態の完成状態を示す斜視図
【図２】同第１の実施の形態の回転翼・バランス板の取付状態を表す図（（ａ）バランス板格納状態時の図、（ｂ）バランス板を正規の状態にしたときの図）
【図３】同第１の実施の形態の取付脚の図
【図４】同第１の実施の形態のバランス板・取付脚を格納した状態を表す図
【図５】同第１の実施の形態のベルマウスを示す図（（ａ）ベルマウスの分割図、（ｂ）ベルマウスの組立図）
【図６】同第１の実施の形態の組立式換気扇の梱包状態を表す図
【図７】本発明の第２の実施の形態の連結部材Ａの取り付け状態を示す図
【図８】同第２の実施の形態の連結部材Ｂの取り付け状態を示す図
【図９】従来の組立・分解式換気扇を表す図
【符号の説明】
【００８１】
１      モータ
２      取付脚
３      回転翼
４      バランス板
５      ベルマウス取付部材
６      ベルマウス
７      回転板
７ｂ    取り付け部分
７ｃ    エンボス
８      箱
１３    ネジ穴
１４    ヘミング曲げ
１５    エンボス穴
２１    ベルマウス連結部材
２１ａ  連結部材Ａ
２１ｂ  連結部材Ｂ
２４    受け固定金具
２５    固定金具
２６    溝
２７    凸部
２８    本体固定穴
２９    突起
【図１】
2008267651.tif 000003
【図２】
2008267651.tif 000004
【図３】
2008267651.tif 000005
【図４】
2008267651.tif 000006
【図５】
2008267651.tif 000007
【図６】
2008267651.tif 000008
【図７】
2008267651.tif 000009
【図８】
2008267651.tif 000010
【図９】
2008267651.tif 000011